(57)【要約】【課題】コンパクトな構成でありながら遊技者の興趣を高める演出が可能な遊技機の演出装置を提供する。【解決手段】  右演出ユニットは、駆動モータ３１と、駆動モータ３１により揺動される揺動部材３２と、上側装飾カバー４７ｂを備えた左レールユニット４５と、スライド部材３４と、下側装飾カバー４７ａを備えた右レールユニット４２とを有し、左レールユニット４５と揺動部材３２とがレール側カム機構２８により接続され、スライド部材３４と揺動部材３２とがスライド部材側カム機構２７により接続され、揺動部材３２が第１揺動方向に揺動されたときに、上側装飾カバー４７ｂが下方に下側装飾カバー４７ａが上方にそれぞれ直線移動されて接近し、揺動部材３２が第１揺動方向に対して反対の第２揺動方向に揺動されたときに、上側装飾カバー４７ｂが上方に下側装飾カバー４７ａが下方にそれぞれ直線移動されて離間するように構成される。【選択図】  図５
2011067462.tif 000002
【特許請求の範囲】
【請求項１】
遊技機の演出装置であって、
保持ベースと、
前記保持ベースに取り付けられた駆動モータと、
前記保持ベースに揺動自在に枢結されて前記駆動モータにより揺動される揺動部材と、
前記揺動部材の揺動平面に対して平行な所定方向に直線移動自在となって前記保持ベースに取り付けられるとともに第１装飾部材を備えた第１レールユニットと、
前記所定方向に直線移動自在となって前記保持ベースに取り付けられたスライド部材と、
前記所定方向に直線移動自在となって前記保持ベースに取り付けられるとともに第２装飾部材を備えた第２レールユニットとを有し、
前記第１レールユニットと前記揺動部材とが、第１カム機構により接続され、
前記スライド部材と前記揺動部材とが、第２カム機構により接続され、
前記揺動部材が第１揺動方向に揺動されたときに、前記第１装飾部材と前記第２装飾部材とが前記所定方向における相反する方向に直線移動されて接近し、
前記揺動部材が前記第１揺動方向に対して反対の第２揺動方向に揺動されたときに、前記第１装飾部材と前記第２装飾部材とが前記所定方向における相反する方向に直線移動されて離間するように構成されたことを特徴とする遊技機の演出装置。
【請求項２】
前記第１カム機構が、
前記第１レールユニットおよび前記揺動部材の一方に形成された第１案内溝と、
前記第１レールユニットおよび前記揺動部材の他方に形成されて前記第１案内溝に係合する第１軸部とから構成され、
前記第２カム機構が、
前記スライド部材および前記揺動部材の一方に形成された第２案内溝と、
前記スライド部材および前記揺動部材の他方に形成されて前記第２案内溝に係合する第２軸部とから構成されたことを特徴とする請求項１に記載の遊技機の演出装置。
【請求項３】
前記第１装飾部材および前記第２装飾部材の背面側に、電飾用光源が搭載された電飾基板が配設されて正面に向けて発光可能となっており、
前記第１装飾部材および前記第２装飾部材は、前記電飾用光源からの光を遮断可能な材質により形成されたことを特徴とする請求項１または２に記載の遊技機の演出装置。
【発明の詳細な説明】
【技術分野】
【０００１】
本発明は、遊技を行うための遊技領域の周囲に設けられた遊技機の演出装置に関する。
【背景技術】
【０００２】
上記遊技機の代表例としてパチンコ機が挙げられ、パチンコ機は例えば、外枠と、この外枠の前面を覆う前枠と、この前枠の前面を覆うガラス枠とを備えて構成され、遊技施設の設置枠台に固定される。ガラス枠の後側に遊技盤が収容されており、この遊技盤の前面側には、入賞口、入賞装置、表示装置等の各種遊技機器が配設されて遊技領域が形成され、さらに遊技領域を囲むように演出装置が配設されている。この演出装置として、例えば発光して電飾するものや、装飾部材を移動させるものがある。
【０００３】
遊技者が遊技を行う場合は、パチンコ機の前面に設けられた発射ハンドルを操作して、遊技球を遊技領域に向けて発射する。そして、発射された遊技球が遊技領域に沿って落下したり、その落下途中で入賞装置に入賞したりすることにより、遊技者を楽しませるように構成されている。このとき、遊技の進行状況に応じて、対応した画像を表示装置に表示させるとともに演出装置を稼動させることで、遊技者の興趣を一層高めることができるようになっている。
【０００４】
上記のように構成されるパチンコ機においては、遊技領域の面積を拡大することで、遊技盤に配設される各種遊技機器の配置の自由度が高くなるので、例えば遊技領域に沿って遊技球が落下するときの落下パターンを増やして、遊技者を飽きさせることなく十分に楽しませることができる。演出装置についても同様に、その配設スペースを拡大させるほど、例えば多種多様な電飾が可能となるとともに大型の装飾部材を複雑に移動させることが可能となり、遊技者の遊技意欲を喚起するインパクトのある演出ができるようになる。
【０００５】
遊技者の興趣を高める構成の一例として、例えば特許文献１には表示装置を開閉する稼動扉を設けた構成が、例えば特許文献２には液晶表示部の手前において可動部材を移動させる構成がそれぞれ開示されている。
【先行技術文献】
【特許文献】
【０００６】
【特許文献１】特開２００４−３５０９８８号公報
【特許文献２】特開２００８−７９７２６号公報
【発明の概要】
【発明が解決しようとする課題】
【０００７】
遊技者の目にとまりやすい遊技領域を十分に広く設定した場合、遊技球の落下パターンを増やして遊技者を十分に楽しませることができる一方で、一般にパチンコ機は外形サイズに制約があるために、その分演出装置の配設スペースを十分に確保することが難しくなる。このような場合に、演出装置において遊技者の興趣を高める演出が困難となるという課題があった。
【０００８】
本発明は、上記課題に鑑みてなされたものであり、コンパクトな構成でありながら遊技者の興趣を高める演出が可能な遊技機の演出装置を提供することを目的とする。
【課題を解決するための手段】
【０００９】
上記目的を達成するため、本発明に係る遊技機の演出装置は、遊技機の演出装置（例えば、実施形態における右演出ユニット２０）であって、保持ベース（例えば、実施形態における保持ケース３０ａ）と、前記保持ベースに取り付けられた駆動モータと、前記保持ベースに揺動自在に枢結されて前記駆動モータにより揺動される揺動部材と、前記揺動部材の揺動平面に対して平行な所定方向に直線移動自在となって前記保持ベースに取り付けられるとともに第１装飾部材（例えば、実施形態における上側装飾カバー４７ｂ，４８ｂ，４９ｂ）を備えた第１レールユニット（例えば、実施形態における左レールユニット４５）と、前記所定方向に直線移動自在となって前記保持ベースに取り付けられたスライド部材と、前記所定方向に直線移動自在となって前記保持ベースに取り付けられるとともに第２装飾部材（例えば、実施形態における下側装飾カバー４７ａ，４８ａ，４９ａ）を備えた第２レールユニット（例えば、実施形態における右レールユニット４２）とを有し、前記第１レールユニットと前記揺動部材とが、第１カム機構（例えば、実施形態におけるレール側カム機構２８，５８）により接続され、前記スライド部材と前記揺動部材とが、第２カム機構（例えば、実施形態におけるスライド部材側カム機構２７，５７）により接続され、前記揺動部材が第１揺動方向に揺動されたときに、前記第１装飾部材と前記第２装飾部材とが前記所定方向における相反する方向に直線移動されて接近し、前記揺動部材が前記第１揺動方向に対して反対の第２揺動方向に揺動されたときに、前記第１装飾部材と前記第２装飾部材とが前記所定方向における相反する方向に直線移動されて離間するように構成される。
【００１０】
また、前記第１カム機構が、前記第１レールユニットおよび前記揺動部材の一方に形成された第１案内溝（例えば、実施形態における第５ガイド長穴４４ａ、第４ガイド長穴７２ａ）と、前記第１レールユニットおよび前記揺動部材の他方に形成されて前記第１案内溝に係合する第１軸部（例えば、実施形態における左レール用軸３３ａ、左レール用軸６３ａ）とから構成され、前記第２カム機構が、前記スライド部材および前記揺動部材の一方に形成された第２案内溝（例えば、実施形態における第２ガイド長穴３５ｂ、第２ガイド長穴６５ｂ）と、前記スライド部材および前記揺動部材の他方に形成されて前記第２案内溝に係合する第２軸部（例えば、実施形態におけるスライド部材用軸３３ｂ、スライド部材用軸６３ｂ）とから構成されたことが好ましい。
【００１１】
また、前記第１装飾部材および前記第２装飾部材の背面側に、電飾用光源（例えば、実施形態におけるＬＥＤ光源２２ａ、ＬＥＤ光源５２ａ）が搭載された電飾基板が配設されて正面に向けて発光可能となっており、前記第１装飾部材および前記第２装飾部材は、前記電飾用光源からの光を遮断可能な材質により形成されたことが好ましい。
【発明の効果】
【００１２】
本発明に係る遊技機の演出装置は、第１カム機構および第２カム機構が、揺動部材の揺動方向に応じて第１装飾部材および第２装飾部材を離間および接近させるように構成されている。そのため、駆動モータを１つだけ用いるというコンパクト且つシンプルな構成でありながら、第１装飾部材および第２装飾部材を所定方向に様々なパターンで直線移動させることができ、遊技者の興趣を高める演出が可能となる。
【００１３】
上述の遊技機の演出装置において、第１カム機構が、第１案内溝とこの第１案内溝に係合する第１軸部とから構成され、第２カム機構が、第２案内溝とこの第２案内溝に係合する第２軸部とから構成されたことが好ましい。このように構成した場合、簡単なカム機構でありながら揺動部材の揺動を許容させて、第１装飾部材および第２装飾部材を所定方向に直線移動させることが可能となる。
【００１４】
また、上述の遊技機の演出装置において、第１装飾部材および第２装飾部材の背面側に電飾用光源が搭載された電飾基板が配設され、第１装飾部材および第２装飾部材が電飾用光源の光を遮断可能な材質により形成されたことが好ましい。このように構成すると、互いに反対方向に直線移動する第１装飾部材および第２装飾部材が位置した部分からは光が透過せず、それ以外の部分からは光が透過するように遊技者には視認されるので、第１装飾部材および第２装飾部材の移動による演出に加えて、電飾による演出を行うことができる。よって、視覚を通じて遊技者の遊技意欲を一層喚起可能となる。
【図面の簡単な説明】
【００１５】
【図１】本発明に係るパチンコ機の正面図である。
【図２】上記パチンコ機のガラス枠の分解斜視図である。
【図３】右演出ユニットの斜視図である。
【図４】右演出ユニットの正面図である。
【図５】右装飾体可動ユニットの平面図（装飾部材が半分程度開いた状態）である。
【図６】図５中のＶＩ−ＶＩ部分の断面図である。
【図７】右装飾体可動ユニットの平面図（装飾部材が全開した状態）である。
【図８】右装飾体可動ユニットの平面図（装飾部材が閉じた状態）である。
【図９】左演出ユニットの斜視図である。
【図１０】左装飾体可動ユニットの平面図（装飾部材が半分程度開いた状態、一部断面図）である。
【図１１】左装飾体可動ユニットを左方から見た側面図である。
【図１２】図１１中のＸＩＩ−ＸＩＩ部分の断面図である。
【図１３】左装飾体可動ユニットの平面図（装飾部材が全開した状態）である。
【図１４】左装飾体可動ユニットの平面図（装飾部材が閉じた状態）である。
【図１５】（ａ）は回転装飾装置の斜視図を、（ｂ）および（ｃ）は回転装飾装置の正面図をそれぞれ示す。
【図１６】ガラス枠を後方から見た平面図である。
【図１７】操作ボタンユニットの斜視図である。
【図１８】図１中のＸＶＩＩＩ−ＸＶＩＩＩ部分の断面図である。
【発明を実施するための形態】
【００１６】
以下、本発明の実施形態について図面を参照しながら説明する。まず、図１を参照しながら、パチンコ機ＰＭの概要構成について説明する。なお、説明の便宜上、各図面において矢印方向でパチンコ機ＰＭの前後、左右、および上下方向を示し、以下この方向を用いて説明を行う。
【００１７】
パチンコ機ＰＭは、外郭方形枠サイズに構成されて縦向きの固定保持枠をなす外枠１の開口前面に、これに合わせた方形枠サイズに構成された開閉搭載用の前枠２が、互いの正面左側に配設されたヒンジ機構３ａ，３ｂに支持されて、前方に横開き開閉及び着脱が可能に取り付けられ、正面右側に設けられた施錠装置４を利用して外枠１と係合された閉鎖状態に保持される。
【００１８】
前枠２の前面側上部には、前枠２の前面域に合わせた方形状で中央部に複層ガラスが装着されたガラス枠５が、正面左側に設けられたヒンジ機構７ａ，７ｂにより前方に横開き開閉および着脱が可能に支持され、正面右側に設けられた施錠装置４により前枠２の前面を覆う閉鎖状態に保持される。ガラス枠５の背後には、遊技盤９を立設姿勢で収容する収容枠（図示せず）が前枠２と一体に成型されており、この収容枠に遊技盤９が着脱可能に収容保持され、常には閉鎖保持されるガラス枠５の複層ガラスを通して前面の遊技領域を臨ませている。
【００１９】
図１では遊技盤９の記載を省略しているが、遊技盤９の前面には上下のレール飾りに囲まれて略円形の遊技領域が区画形成され、この遊技領域に多数本の遊技釘とともに風車や各種入賞具、遊技の進行状況に応じて所定の画像が表示される画像表示装置などの遊技構成部品が取り付けられている。また、遊技領域の下端部には、入賞具に入賞せずに落下した遊技球を、遊技盤９の裏面側に排出させるアウト口が設けられている。
【００２０】
前枠２の下部領域には、球皿ユニット６が正面左側に設けられたヒンジ機構７ｂ，７ｃにより、前方に横開き開閉および着脱が可能に支持されるとともに、正面右側に設けられた球皿施錠装置を利用して前枠２の前面を覆う閉鎖状態に保持される。球皿ユニット６に覆われた前枠２の下部領域には、遊技補助盤と称される補助機構部が形成されており、この遊技補助盤には遊技領域に遊技球を発射する遊技球発射装置やファール玉回収通路などが設けられている。前枠２の前面下部には、遊技球の発射操作を行う発射ハンドル８が取り付けられている。
【００２１】
前枠２の裏側には、裏セット盤（図示せず）が着脱可能に取り付けられている。この裏セット盤には、遊技施設の設置枠台（遊技島）から供給された遊技球を貯留する球貯留タンク、球貯留タンクの下側にゆるい傾斜姿勢で取り付けられたタンクレール、タンクレールにより前後各１列の整列状態で導かれた遊技球を、遊技盤９における入賞状態に基づいて払い出す球払出装置、球払出装置から払い出された遊技球を球皿ユニット６の球皿に導く払出通路などの賞球機構が設けられている。また、裏セット盤の裏面側には、電源基板、払出制御基板、主制御基板、画像制御基板などの各種回路基板が取り付けられ、これらの回路基板とパチンコ機各部の電気・電子部品がワイヤーハーネスで接続されて遊技可能に構成される。
【００２２】
パチンコ機ＰＭは、外枠１が設置枠台に収容された状態で固定設置され、前枠２の外周縁部から、ガラス枠５、球皿ユニット６などが設置枠台から前方に張り出して配設される。そして、パチンコ機ＰＭは、前枠２、ガラス枠５や球皿ユニット６等が閉鎖施錠された状態で遊技に供される。遊技者が発射ハンドル８を回動操作することにより、球皿ユニット６の上球皿に貯留された遊技球が１球ずつ遊技盤９の遊技領域に発射されて、以降パチンコゲームが展開される。
【００２３】
以上ここまでは、パチンコ機ＰＭの概要構成について説明した。上記のガラス枠５は、図２に示すように、中央部分が遊技領域に合わせて開口されたベース板１０の前面右部に右演出ユニット２０が、前面左部に左演出ユニット５０が、前面上部に上演出ユニット８０がそれぞれ取り付けられて構成される。本発明に係るパチンコ機ＰＭは、右演出ユニット２０および左演出ユニット５０を左右方向にコンパクトに構成することにより遊技領域の面積を確保しつつ、コンパクトな構成の右演出ユニット２０および左演出ユニット５０でありながら遊技者を驚かせるインパクトのある演出が可能となっている点に特徴を有する。それでは以下において、本発明の特徴部分である右演出ユニット２０および左演出ユニット５０の構成について説明する。
【００２４】
まず、図３〜８を参照しながら、右演出ユニット２０の構成について説明する。右演出ユニット２０は、図３に示すように、略三日月状に上下に細長く形成された取付ベース板２１と、電飾基板２２と、基板カバー２３と、右装飾体可動ユニット３０とから構成される。
【００２５】
電飾基板２２は、略三日月状に上下に細長く形成されるとともに、その前面に前方に向けて発光可能な複数のＬＥＤ光源２２ａが配設されて構成される（図４参照）。この電飾基板２２は、取付ベース板２１の前面側に取り付けられている。
【００２６】
基板カバー２３は、ＬＥＤ光源２２ａからの光を透過可能な透明若しくは半透明な材料を用いて断面視くの字状に形成されており、電飾基板２２の前面側を覆うように取付ベース板２１に取り付けられている。
【００２７】
右装飾体可動ユニット３０は、図５および６に示すように、駆動モータ３１と、揺動部材３２と、スライド部材３４と、右レールユニット４２と、左レールユニット４５とから構成される。
【００２８】
駆動モータ３１は、取付ベース板２１に取り付けられた保持ケース３０ａに収容保持されており、図示しない制御基板と電気接続されて回転駆動制御される。
【００２９】
揺動部材３２は、ギアが形成された略円盤状の揺動基部３２ａに対して、後方に後側揺動腕３２ｂが、前方に前側揺動腕３２ｃがそれぞれ延びて形成されている。この揺動部材３２は、保持ケース３０ａに収容保持されて、揺動基部３２ａの中心部を揺動中心として揺動自在となっている。揺動基部３２ａは、駆動モータ３１の出力軸に取り付けられた駆動ギア３１ａと噛合している。また、後側揺動腕３２ｂの先端部には左レール用軸３３ａ，前側揺動腕３２ｃの先端部にはスライド部材用軸３３ｂが、それぞれ左右に延びて取り付けられている。
【００３０】
スライド部材３４は、上下に延びたガイド部３５と、前後に延びたスライド駆動部３６とからなり、略Ｌ字板状に形成されている。ガイド部３５には、上方から順に、上下に延びて開口した第１ガイド長穴３５ａ、前後に延びて開口した第２ガイド長穴３５ｂ、および上下に延びて開口した第３ガイド長穴３５ｃが形成されている。第１ガイド長穴３５ａおよび第３ガイド長穴３５ｃの各々に対して、保持ケース３０ａに一体的に形成されたガイド軸３８が左右に挿入されて摺動可能となっている。そのため、スライド部材３４は、ガイド軸３８にガイドされて真っ直ぐ上下に移動可能となっている。また、第２ガイド長穴３５ｂに対して、スライド部材用軸３３ｂが左右に挿入されて摺動可能となっており、第２ガイド長穴３５ｂとスライド部材用軸３３ｂとからスライド部材側カム機構２７が形成される。このスライド部材側カム機構２７が、特許請求の範囲における第２カム機構に該当する。スライド駆動部３６の後端部には、右レール用軸３７が左右に延びて取り付けられている。
【００３１】
右レールユニット４２は、取付ベース板２１のほぼ全体にわたって上下に延びて保持枠３０ａにより上下にスライド移動自在に保持された右スライドレール４１と、この右スライドレール４１に取り付けられた下側装飾カバー４７ａ，４８ａ，４９ａとから構成される。図５に示すように、右スライドレール４１には、前後に延びて開口した第４ガイド長穴４１ａ、および上下に延びて開口した第１逃がし長穴４１ｂが形成されている。第４ガイド長穴４１ａに対して右レール用軸３７が左右に挿入されて、摺動可能となっている。
【００３２】
左レールユニット４５は、取付ベース板２１のほぼ全体にわたって上下に延びて保持枠３０ａにより上下にスライド移動自在に保持された左スライドレール４４と、この左スライドレール４４に取り付けられた上側装飾カバー４７ｂ，４８ｂ，４９ｂとから構成される。左スライドレール４４は、右スライドレール４１の左側に隣接して配設され、前後に延びて開口した第５ガイド長穴４４ａ、および上下に延びて開口した第２逃がし長穴４４ｂが形成されている。また、左スライドレール４４には部分的に側壁部４４ｅが前方に向けて立設されており、この側壁部４４ｅはガイドとしての機能を有している。第５ガイド長穴４４ａに対して左レール用軸３３ａが左右に挿入されて摺動可能となっており、第５ガイド長穴４４ａと左レール用軸３３ａとからレール側カム機構２８が形成される。このレール側カム機構２８が、特許請求の範囲における第１カム機構に該当する。
【００３３】
下側装飾カバー４７ａと上側装飾カバー４７ｂとが対となっており、これらから第１装飾部材４７が形成される。下側装飾カバー４７ａおよび上側装飾カバー４７ｂは、例えばＬＥＤ光源２２ａからの光を透過しない材質により形成される。同様に、下側装飾カバー４８ａと上側装飾カバー４８ｂ、下側装飾カバー４９ａと上側装飾カバー４９ｂとが対となっており、第２装飾部材４８および第３装飾部材４９が形成される。下側装飾カバー４７ａは、右スライドレール４１に立設された位置決めボス４４ｃ，４４ｄが挿入されて位置決めされた状態で、固定ネジ４６ｃ，４６ｄにより右スライドレール４１に固定される。同様に、上側装飾カバー４７ｂは、左スライドレール４４に立設された位置決めボス４１ｃ，４１ｄが挿入されて位置決めされた状態で、固定ネジ４６ａ，４６ｂにより左スライドレール４４に固定される。
【００３４】
ここで、装飾カバー毎に、固定ネジが挿入される固定ネジ用孔（図示せず）に対する位置決めボス用孔（図示せず）の位置が異なるように形成されている。そのため、例えば下側装飾カバー４７ａと上側装飾カバー４７ｂとで、誤って位置を入れ替えて取り付けようとした場合、各装飾カバーに対して位置決めボスを挿入できない。よって、組立作業者は、取付位置が間違っていることに気付くので、組立作業ミスをなくすことができる。なお、図５〜８においては、第２装飾部材４８および第３装飾部材４９の図示を省略している。また、図４に示すように、第１〜３装飾部材４７，４８，４９の前側を部分的に覆う前側カバー２９ａ，２９ｂが、取付ベース板２１に取り付けられている。
【００３５】
このように、右演出ユニット２０は、独立した１つのユニットとして構成されて、ユニットをベース板１０に取り付ける構成となっている。そのため、例えばベース板１０に演出ユニットの各構成部品を取り付けて組み立てる場合と比較して、組立時の作業性が格段に向上する。また、演出ユニットが故障した場合には、演出ユニットをユニット単位で取り外して修理できるので、メンテナンス性も良い。ガラス枠５を、複数の小さなユニット（右演出ユニット２０、演出ユニット５０、および上演出ユニット８０）を寄せ集めた構成とすることにより、各ユニットを構成する部品のサイズを小さくすることができるので、これらを搬送する際の荷造り等が簡単となる。また、各ユニットを構成する部品を射出成形により形成する場合、各部品が小さいので大型の特殊な成形機を用いる必要がなく、一般的な成形機により成形できる。
【００３６】
以上、右演出ユニット２０の構成について説明した。以下において、右演出ユニット２０の動作について説明する。図３および８に下側装飾カバー４７ａと上側装飾カバー４７ｂとが上下に完全に閉じた状態を、図５および６に下側装飾カバー４７ａと上側装飾カバー４７ｂとが半分程度開いた状態を、図４および７に下側装飾カバー４７ａと上側装飾カバー４７ｂとが上下に離れて全開となった状態をそれぞれ示す。
【００３７】
まず、下側装飾カバー４７ａと上側装飾カバー４７ｂとが、半分程度開いた状態から上下に離れて全開となる場合の動作を例示して説明する。
【００３８】
この場合、図５に示す状態において、駆動モータ３１が時計回りに所定角度だけ回転駆動される。これにより、揺動部材３２が反時計回りに揺動されて、後側揺動腕３２ｂが上方に、前側揺動腕３２ｃが下方にそれぞれ揺動される。このとき、左レール用軸３３ａは第５ガイド長穴４４ａを摺動しながら左スライドレール４４を上方に移動させ、一方でスライド部材用軸３３ｂは第２ガイド長穴３５ｂを摺動しながらスライド部材３４の全体を下方に移動させるとともに、右レール用軸３７を介して右スライドレール４１を下方に移動させる（図７参照）。ここで、第２ガイド長穴３５ｂおよび第５ガイド長穴４４ａは、長穴に形成されているので揺動部材３２の揺動が規制されなることがなく、右スライドレール４１および左スライドレール４４がスムーズに移動される。このようにして、右スライドレール４１に固定された下側装飾カバー４７ａを下方に移動させるとともに、左スライドレール４４に固定された上側装飾カバー４７ｂを上方に移動させて、第１装飾部材４７を全開状態にすることができる。
【００３９】
なお、図６から分かるように、左スライドレール４４に第２逃がし長穴４４ｂが形成されているので、右レール用軸３７と左スライドレール４４とが干渉しない構成となっている。また、右スライドレール４１に第１逃がし長穴４１ｂが形成されているので、位置決めボス４１ｄおよび固定ネジ４６ｂが右スライドレール４１と干渉しない構成となっている。
【００４０】
次に、下側装飾カバー４７ａと上側装飾カバー４７ｂとが、半分程度開いた状態から完全に閉じた状態となる場合の動作を例示して説明する。
【００４１】
この場合には、図５に示す状態において、駆動モータ３１が反時計回りに所定角度だけ回転駆動される。これにより、揺動部材３２が時計回りに揺動されて、後側揺動腕３２ｂが下方に、前側揺動腕３２ｃが上方にそれぞれ揺動される。このとき、左レール用軸３３ａは左スライドレール４４を下方に移動させ、一方でスライド部材用軸３３ｂはスライド部材３４の全体を上方に移動させるとともに、右レール用軸３７を介して右スライドレール４１を上方に移動させる（図８参照）。そうすることにより、左スライドレール４４に固定された上側装飾カバー４７ｂを下方に移動させるとともに、右スライドレール４１に固定された下側装飾カバー４７ａを上方に移動させて、第１装飾部材４７を閉じた状態にすることができる。
【００４２】
実際には、上述の動作以外に例えば全開状態から一気に閉じたり、または反対に、閉じた状態から一気に全開状態になる動作を組み合わせて、遊技の進行状況に応じて様々な開閉（シャッター）動作を行うようになっている。また、第１装飾部材４７の動作に合わせて、第２装飾部材４８および第３装飾部材４９も同様に開閉動作されるので、右演出ユニット２０全体において迫力のある演出を行うことができる。
【００４３】
以上説明したように、右演出ユニット２０は、駆動モータ３１を回転駆動させることにより、右レールユニット４２と左レールユニット４５とを互いに反対方向にスライド移動させ、第１〜３装飾部材４７，４８，４９を同時に開閉動作させる構成となっている。そのため、第１〜３装飾部材４７，４８，４９の開閉駆動に連動させて、各ＬＥＤ光源２２ａの点灯制御を行うことにより、第１〜３装飾部材４７，４８，４９の部分は光が遮られて、遊技者をあっと驚かせる斬新な演出が可能となる。また、右演出ユニット２０は、遊技領域に対して反対側の右側端部の狭いスペースに、右スライドレール４１および左スライドレール４４を左右に重ねてコンパクトに配設することで、左右方向に小型化されている。そのため、遊技領域を左右方向に拡大させることができ、例えば遊技盤に配設される各種遊技機器の配置の自由度を高くして遊技球が落下するときの落下パターンを増やして、遊技者を十分に楽しませることが可能となる。
【００４４】
以上、右演出ユニット２０について説明した。以下において、図９〜１４を参照しながら、左演出ユニット５０の構成について説明する。なお、左演出ユニット５０は、上述の右演出ユニット２０と比較して、駆動モータの向きおよびスライドレールの形状等が若干異なる点を除いて、大部分の構成は同一となっている。
【００４５】
左演出ユニット５０は、図９に示すように、略三日月状に上下に細長く形成された取付ベース板５１と、電飾基板５２と、基板カバー５３と、左装飾体可動ユニット６０とから構成される。なお、左装飾体可動ユニット６０の大部分は、透明もしくは半透明なユニットカバー５９により覆われている。
【００４６】
電飾基板５２は、略三日月状に上下に細長く形成されるとともに、その前面に前方に向けて発光可能な複数のＬＥＤ光源５２ａが配設されて構成される（図１２参照）。この電飾基板５２は、取付ベース板５１の前面側に取り付けられている。
【００４７】
基板カバー５３は、ＬＥＤ光源５２ａからの光を透過可能な透明若しくは半透明な材料を用いて形成されており、電飾基板５２の前面側を覆って取付ベース板５１に取り付けられている。
【００４８】
左装飾体可動ユニット６０は、図９および１０に示すように、駆動モータ６１と、揺動部材６２と、スライド部材６４と、左レールユニット７１と、右レールユニット７５とから構成される。
【００４９】
駆動モータ６１は、取付ベース板５１に取り付けられた保持ケース５４に収容保持されており、図示しない制御基板と電気接続されて回転駆動制御される。揺動部材６２は、略円盤状の揺動基部６２ａに対して、左方に左側揺動腕６２ｂが、右方に右側揺動腕６２ｃがそれぞれ延びて形成されている。揺動基部６２ａは、駆動モータ６１の出力軸に取り付けられた駆動ギア６１ａと噛合している。この揺動部材６２は、保持ケース５４に収容保持されて、揺動基部６２ａの中心部を揺動中心として揺動自在となっている。また、左側揺動腕６２ｂの先端部には左レール用軸６３ａ，右側揺動腕６２ｃの先端部にはスライド部材用軸６３ｂが、それぞれ前後に延びて取り付けられている。
【００５０】
スライド部材６４は、上方から順に、上下に延びて開口した第１ガイド長穴６５ａ、左右に延びて開口した第２ガイド長穴６５ｂ、および上下に延びて開口した第３ガイド長穴６５ｃが形成されている。第１ガイド長穴６５ａおよび第３ガイド長穴６５ｃの各々に対して、保持ケース５４に一体的に形成されたガイド軸６７が前後に挿入されて摺動可能となっている。そのため、スライド部材６４は、ガイド軸６７にガイドされて真っ直ぐ上下に移動可能となっている。また、第２ガイド長穴６５ｂに対して、スライド部材用軸６３ｂが前後に挿入されて摺動可能となっており、第２ガイド長穴６５ｂとスライド部材用軸６３ｂとからスライド部材側カム機構５７が形成される。このスライド部材側カム機構５７が、特許請求の範囲における第２カム機構に該当する。
【００５１】
左レールユニット７１は、後面側に左右に延びた第４ガイド長穴７２ａが形成された基部７２と、基部７２の下端部から下方に延びた左スライドレール７３と、この左スライドレール７３に取り付けられた下側装飾カバー７７ａ，７８ａ，７９ａとから構成される。左スライドレール７３は、取付ベース板５１のほぼ全体にわたって上下に延びて形成されており、保持枠５４によって上下にスライド移動自在に保持されている。左レールユニット７１には、左方に突出した複数の当接突起７２ｂ，７３ｂ，…が形成されており、保持ケース５４の左端部において前方に向けて立設した側壁部５４ａ，５４ｂ，…と当接している。左スライドレール７３には、上下に延びて開口した第１逃がし長穴７３ａが形成されている。第４ガイド長穴７２ａに対して、左レール用軸６３ａが前後に挿入されて摺動可能となっており、第４ガイド長穴７２ａと左レール用軸６３ａとからレール側カム機構５８が形成される。このレール側カム機構５８が、特許請求の範囲における第１カム機構に該当する。
【００５２】
右レールユニット７５は、取付ベース板５１のほぼ全体にわたって上下に延びて保持枠５４により上下にスライド移動自在に保持された右スライドレール７４と、この右スライドレール７４に取り付けられた上側装飾カバー７７ｂ，７８ｂ，７９ｂとから構成される。この右スライドレール７４には、上下に延びて開口した第２逃がし長穴７４ａが形成されている。
【００５３】
下側装飾カバー７７ａと上側装飾カバー７７ｂとが対となっており、これらから第１装飾部材７７が形成される。下側装飾カバー７７ａおよび上側装飾カバー７７ｂは、例えばＬＥＤ光源５２ａからの光を透過しない材質により形成される。同様に、下側装飾カバー７８ａと上側装飾カバー７８ｂ、下側装飾カバー７９ａと上側装飾カバー７９ｂとが対となっており、第２装飾部材７８および第３装飾部材７９が形成される。上側装飾カバー７７ｂは、図１０に示すように、右スライドレール７４の取付基部７４ｄに立設された位置決めボス７４ｂ，７４ｃが挿入されて位置決めされた状態で、固定ネジ７６ａにより右スライドレール７４に固定される。下側装飾カバー７７ａは、左スライドレール７３に立設された位置決めボス７３ｃ，７３ｄが挿入されて位置決めされた状態で、固定ネジ７６ｂにより左スライドレール７３に固定される。また、固定ネジ６６，６６により、上側装飾カバー７７ｂとスライド部６４とが固定される。なお、図１０〜１４においては、第２装飾部材７８および第３装飾部材７９の図示を省略している。
【００５４】
以上、左演出ユニット５０の構成について説明した。以下において、左演出ユニット５０の動作について説明する。図１４に下側装飾カバー７７ａと上側装飾カバー７７ｂとが上下に完全に閉じた状態を、図１０および１１に下側装飾カバー７７ａと上側装飾カバー７７ｂとが半分程度開いた状態を、図１３に下側装飾カバー７７ａと上側装飾カバー７７ｂとが上下に離れて全開となった状態をそれぞれ示す。
【００５５】
まず、下側装飾カバー７７ａと上側装飾カバー７７ｂとが、半分程度開いた状態から全開となる場合の動作を例示して説明する。
【００５６】
この場合、図１０に示す状態において、駆動モータ６１が時計回りに所定角度だけ回転駆動されて揺動部材６２が反時計回りに揺動され、左側揺動腕６２ｂが下方に右側揺動腕６２ｃが上方に揺動される（図１３参照）。このとき、左レール用軸６３ａは第４ガイド長穴７２ａを摺動しながら左レールユニット７１を下方に移動させ、一方でスライド部材用軸６３ｂは第２ガイド長穴６５ｂを摺動しながらスライド部材６４を上方に移動させるとともに、上側装飾カバー７７ｂを介して右レールユニット７５が上方に移動される。そうすることにより、上側装飾カバー７７ｂを上方に移動させるとともに下側装飾カバー７７ａを下方に移動させて、第１装飾部材７７を全開状態にすることができる。
【００５７】
なお、図１０および１１から分かるように、右スライドレール７４に第２逃がし長穴７４ａが形成されているので、左スライドレール７３の下方に固定ネジ７６ｂが突出した場合であっても、右スライドレール７４と固定ネジ７６ｂとが干渉しない構成となっている。また、左スライドレール７３に第１逃がし長穴７３ａが形成されているので、取付基部７４ｄと左スライドレール７３とが干渉しない構成となっている。さらに、第１逃がし長穴７３ａに対して取付基部７4ｄを、上下に摺動可能に形成することにより、スライド時にガイドとしての機能を果たすように構成されている。
【００５８】
次に、下側装飾カバー７７ａと上側装飾カバー７７ｂとが、半分程度開いた状態から完全に閉じた状態となる場合の動作を例示して説明する。
【００５９】
この場合、図１０に示す状態において、駆動モータ６１を反時計回りに所定角度だけ回転駆動させて揺動部材６２を時計回りに揺動させ、左側揺動腕６２ｂが上方に、右側揺動腕６２ｃが下方にそれぞれ揺動される（図１４参照）。このとき、左レール用軸６３ａは左レールユニット７１を上方に移動させ、一方でスライド部材用軸６３ｂはスライド部材６４を下方に移動させるとともに、上側装飾カバー７７ｂを介して右レールユニット７５を下方に移動させる。そうすることにより、上側装飾カバー７７ｂを下方に移動させるとともに、下側装飾カバー７７ａを上方に移動させて、第１装飾部材７７を閉じた状態にすることができる。
【００６０】
以上の説明から分かるように、左演出ユニット５０においても、上述した右演出ユニット２０と同様に、遊技領域に対して反対側の左側端部の狭いスペースに、左スライドレール７３および右スライドレール７４を左右に重ねてコンパクトに配設して、ユニット全体を左右にコンパクトに構成できる。そして、このようなコンパクトな構成でありながら、第１〜３装飾部材７７，７８，７９の開閉駆動およびＬＥＤ光源５２ａによる電飾により、視覚を通じて遊技者の興趣を高める演出が可能となる。また、左演出ユニット５０は、取付ベース板５１に対して揺動部材６２が平行に配設された構成となっているので、右演出ユニット２０と比較して前後の厚みを薄くしてユニット全体をスリムに構成できる。
【００６１】
さらに、左演出ユニット５０においては、当接突起７２ｂ，７３ｂ，…を側壁部５４ａ，５４ｂ，…に当接させて、スライド時にガイドとしての機能を果たすように構成されている。そのため、少なく接触面積で確実にガイドすることができるので、左レールユニット７１を上下に移動させるときに、小さな力でスムーズに移動可能となる。よって、より小型の駆動モータ６１を用いて左演出ユニット５０を構成し、左演出ユニット５０全体をコンパクトに構成できる。
【００６２】
以上、左演出ユニット５０について説明した。上述した右演出ユニット２０および左演出ユニット５０が本発明の最も特徴的な部分であるが、パチンコ機ＰＭに係るその他の４つの特徴部分について、図１５〜１８を参照しながら以下に簡単に説明する。
【００６３】
第１の特徴部分は、上演出ユニット８０の中央部分に設けられた回転装飾装置８１の構成である。この回転装飾装置８１は、図１５（ａ）に示すように、保持筐体８２と、駆動モータ８２ａと、透明または半透明の材質により円筒状に形成された回転装飾部材８３と、前方に向けて発光可能なＬＥＤ（図示せず）が搭載された電飾基板８８とから構成される。保持筐体８２の前端部に回転装飾部材８３が回転自在に支持され、この回転装飾部材８３の中心部に電飾基板８８が挿入されて保持筐体８２に固定されている。この回転装飾部材８３の外周部には、例えば２種類の図柄が形成されており、図１５（ｂ）に示すように回転基準位置において一方の図柄が視認でき、この位置から駆動モータ８２ａにより１８０度回転されると図１５（ｃ）に示す他方の図柄が視認できるようになっている。
【００６４】
そのため、例えば遊技の進行状況に応じて駆動モータ８２ａおよび電飾基板８８の駆動制御を行うことにより、視覚を通じて遊技者を十分に楽しませることができる。このとき、固定された電飾基板８８がハーネスを用いて電気接続される一方、回転装飾部材８３は電気接続する必要がないため、ハーネスに不要な力が作用することがなく断線の虞がない。
【００６５】
第２の特徴部分は、ベース板１０の構成である。図２および１６に示すように、上演出ユニット８０の右端部には、前方に向けて出力可能なスピーカ８９が搭載されており、ベース板１０におけるスピーカ８９に対応した部分に、遊技球よりも若干小さい放音用孔１１が複数開口形成されている。この放音用孔１１を形成することにより、スピーカ８９から後方に向けて出力された音を、効果的にベース板１０の後方に逃がすことができるので、スピーカ８９とベース板１０との間の空間に音がこもることを防止可能である。また、遊技球よりも若干小さく形成されているので、例えば遊技球が放音用孔１１を通過してスピーカ８９とベース板１０との間の空間に誤って入り込むことを防止できる。
【００６６】
また、スピーカ８９は、図示しない制御基板とハーネスにより電気接続されており、スピーカ８９とハーネスとの接続部分には、差し込むだけで電気接続可能なファストン端子が用いられている。そのため、例えば半田接続する場合と比較して、ショート等の不具合の発生を低減できるとともに、スピーカ８９とハーネスとの電気接続および接続解除を容易且つ確実に行うことができる。
【００６７】
第３の特徴部分は、球皿ユニット６の操作ボタンユニット１００である。球皿ユニット６の操作ボタンユニット１００を抜き出して図示したものが、図１７である。この操作ボタンユニット１００は、ユニット筐体１０１と、演出用ボタン１０２と、第１ＣＲ操作ボタン１０３と、第２ＣＲ操作ボタン１０４とから構成される。図１７から分かるように、演出用ボタン１０２、第１ＣＲ操作ボタン１０３および第２ＣＲ操作ボタン１０４がユニット筐体１０１に組み込まれることで、１つのユニットとして構成されている。
【００６８】
そのため、従来の演出用ボタンとＣＲ操作ボタンとを球皿ユニットの異なった位置に設けた構成と比較して、ボタンを１ヶ所に集約することにより興趣を高める一体的なデザインが可能となり、また遊技者にとっては操作性が向上する。さらに、操作ボタンユニット１００を１つのユニットとして球皿ユニット６に組み込むことができるので、作業者にとっては組立作業性が向上するとともにメンテナンス性も良い。
【００６９】
第４の特徴部分は、各枠（外枠１、前枠２、およびガラス枠５）の係合部分の構造である。図１８の断面図から分かるように、外枠１の前端部近傍が右方に突出して、突出部１ａが形成されている。前枠板金１６は、その左方前端部が右方に屈曲されて第１屈曲部１６ａが形成されるとともに、後面側に前枠２が取り付けられている。第１ガラス枠板金１７、第２ガラス枠板金１８および第３ガラス枠板金１９は一体的に連結されており、第３ガラス枠板金１９の前面側に左演出ユニット５０が取り付けられている。第１ガラス枠板金１７は、後端部が左方に屈曲されて第２屈曲部１７ａが形成されている。第２ガラス枠板金１８は、後端部が左方に屈曲されて第３屈曲部１８ａが形成されている。
【００７０】
そして、外枠１に対して前枠２を、前枠２に対してガラス枠５をそれぞれ揺動させて閉じると、突出部１ａと第３ガラス枠板金１９の左端部１９ａとにより、第１くわえ込み部１１１が形成される。また、第１屈曲部１６ａと第３屈曲部１８ａとにより第２くわえ込み部１１２が、前枠板金１６の右端部１６ｂと第２屈曲部１７ａとにより第３くわえ込み部１１３がそれぞれ形成される。そのため、例えば各枠間の僅かな隙間からピアノ線等を挿入して、遊技盤９に打ち込まれた釘（図示せず）を曲げる不正行為を行おうとしても、第１〜３くわえ込み部１１１，１１２，１１３が形成されているため、ピアノ線等を釘に到達させることができない。よって、ピアノ線等を挿入して行われる不正行為を、効果的に防止できる。
【００７１】
上述の実施形態において、遊技領域の右側に右演出ユニット２０を、遊技領域の左側に左演出ユニット５０を配設した構成を説明したが、この構成に限定されない。例えば遊技領域の左右どちらか一方のみに演出ユニットを配設した構成や、回転装飾装置８１に代えて装飾カバーを左右にスライド移動させる構成としても良い。
【００７２】
上述の実施形態において、揺動基部３２ａに対して後側揺動腕３２ｂおよび前側揺動腕３２ｃが突出するように延びて形成された揺動部材３２を例示したが、この構成に限定されない。例えば、後側揺動腕３２ｂおよび前側揺動腕３２ｃを形成することなく揺動基部３２ａの径を拡大し、揺動基部３２ａを左スライドレール４４およびスライド部材３４に連結した構成でも良い。
【００７３】
上述の右演出ユニット２０において、第４ガイド長穴４１ａに右レール用軸３７が挿入されて前後に摺動自在となった構成を例示したが、本発明はこの構成に限定されることなく、例えば、右スライドレール４１に右レール用軸３７を圧入して固定した構成でも良い。
【符号の説明】
【００７４】
ＰＭ  パチンコ機（遊技機）
２０  右演出ユニット（演出装置）
２２  電飾基板
２２ａ  ＬＥＤ光源（電飾用光源）
２７  スライド部材側カム機構（第２カム機構）
２８  レール側カム機構（第１カム機構）
３０ａ  保持ケース（保持ベース）
３１  駆動モータ
３２  揺動部材
３３ａ  左レール用軸（第１軸部）
３３ｂ  スライド部材用軸（第２軸部）
３４  スライド部材
３５ｂ  第２ガイド長穴（第２案内溝）
４１  右スライドレール（第２レール部材）
４２  右レールユニット（第２レールユニット）
４４  左スライドレール（第１レール部材）
４４ａ  第５ガイド長穴（第１案内溝）
４５  左レールユニット（第１レールユニット）
４７ａ，４８ａ，４９ａ  下側装飾カバー（第２装飾部材）
４７ｂ，４８ｂ，４９ｂ  上側装飾カバー（第１装飾部材）
５０  左演出ユニット（演出装置）
５２  電飾基板
５２ａ  ＬＥＤ光源（電飾用光源）
５４  保持ケース（保持ベース）
５７  スライド部材側カム機構（第２カム機構）
５８  レール側カム機構（第１カム機構）
６１  駆動モータ
６２  揺動部材
６３ａ  左レール用軸（第１軸部）
６３ｂ  スライド部材用軸（第２軸部）
６４  スライド部材
６５ｂ  第２ガイド長穴（第２案内溝）
７１  左レールユニット（第１レールユニット）
７２ａ  第４ガイド長穴（第１案内溝）
７３  左スライドレール（第１レール部材）
７４  右スライドレール（第２レール部材）
７５  右レールユニット（第２レールユニット）
７７ａ，７８ａ，７９ａ  下側装飾カバー（第１装飾部材）
７７ｂ，７８ｂ，７９ｂ  上側装飾カバー（第２装飾部材）
【図１】
2011067462.tif 000003
【図３】
2011067462.tif 000004
【図５】
2011067462.tif 000005
【図６】
2011067462.tif 000006
【図７】
2011067462.tif 000007
【図８】
2011067462.tif 000008
【図９】
2011067462.tif 000009
【図１０】
2011067462.tif 000010
【図１１】
2011067462.tif 000011
【図１２】
2011067462.tif 000012
【図１３】
2011067462.tif 000013
【図１４】
2011067462.tif 000014
【図１６】
2011067462.tif 000015
【図１７】
2011067462.tif 000016
【図１８】
2011067462.tif 000017
【図２】
2011067462.tif 000018
【図４】
2011067462.tif 000019
【図１５】
2011067462.tif 000020